(57)【要約】【課題】  処理実行装置に複数のデータ種別のデータに対して処理を実行させるための設定をすること。【解決手段】  データを処理するＭＦＰを制御するＰＣは、データを受け付けるデータ受付部（Ｓ０１）と、データのデータ種別を判別するデータ種別判別部（Ｓ０２）と、判別されたデータ種別に対応し、ＭＦＰが処理可能な処理方法に対応する設定を受け付けるための領域を含む設定画面を表示する設定画面表示部（Ｓ０３〜Ｓ０９）と、設定画面に従ってユーザにより入力される設定に従ってＭＦＰに処理を実行させるコマンドおよび受け付けられたデータをＭＦＰに送信する送信部（Ｓ１５、Ｓ１８，Ｓ２１）と、を備える。【選択図】        図９
2010268278.tif 000002
【特許請求の範囲】
【請求項１】
データを処理する処理実行装置を制御する制御装置であって、
データを受け付けるデータ受付手段と、
前記受け付けられたデータのデータ種別を判別するデータ種別判別手段と、
前記データ種別判別手段により判別されたデータ種別に対応し、前記処理実行装置が処理可能な処理方法に対応する設定を受け付けるための領域を含む設定画面を表示する設定画面表示手段と、
前記設定画面に従ってユーザにより入力される設定に従って前記処理実行装置に処理を実行させるコマンドおよび前記受け付けられたデータを前記処理実行装置に送信する送信手段と、を備えた制御装置。
【請求項２】
前記設定画面表示手段は、前記データがデータ種別の異なる複数の部分データを含む場合、前記複数の部分データそれぞれに対応する設定画面を表示する、請求項１に記載の制御装置。
【請求項３】
前記データは、静止画像、動画像および音声それぞれを表すデータのうちから選ばれた少なくとも１つを含む、請求項１または２に記載の制御装置。
【請求項４】
データを処理する処理実行装置を制御する制御装置で実行される制御方法であって、
データを受け付けるステップと、
前記受け付けられたデータのデータ種別を判別するステップと、
前記データ種別を判別するステップにおいて判別されたデータ種別に対応し、前記処理実行装置が処理可能な処理方法に対応する設定を受け付けるための領域を含む設定画面を表示するステップと、
前記設定画面に従ってユーザにより入力される設定に従って前記処理実行装置に処理を実行させるコマンドおよび前記受け付けられたデータを前記処理実行装置に送信するステップと、を含む制御方法。
【請求項５】
データを処理する処理実行装置を制御する制御装置で実行される制御プログラムであって、
データを受け付けるステップと、
前記受け付けられたデータのデータ種別を判別するステップと、
前記データ種別を判別するステップにおいて判別されたデータ種別に対応し、前記処理実行装置が処理可能な処理方法に対応する設定を受け付けるための領域を含む設定画面を表示するステップと、
前記設定画面に従ってユーザにより入力される設定に従って前記処理実行装置に処理を実行させるコマンドおよび前記受け付けられたデータを前記処理実行装置に送信するステップと、を前記制御装置を制御するコンピュータに実行させる制御プログラム。
【発明の詳細な説明】
【技術分野】
【０００１】
この発明は、制御装置、制御方法および制御プログラムに関し、特に、複数種類のコンテンツを処理可能な処理装置を制御するための制御装置、制御方法および制御プログラムに関する。
【背景技術】
【０００２】
ＭＦＰ（Ｍｕｌｔｉ  Ｆｕｎｃｔｉｏｎ  Ｐｅｒｉｐｈｅｒａｌ）をプリンタとして使用する場合、パーソナルコンピュータ（以下、「ＰＣ」という）からＭＦＰに静止画像を送信し、ＭＦＰに静止画像をプリントさせるのが一般的である。この場合、ＰＣには、ＭＦＰを制御するためのドライバプログラムがインストールされる。
【０００３】
一方、ＭＦＰは、静止画像に加えて、動画像をプリントできるものがある。例えば、特開２００８−９２３３５号公報には、記録媒体に記憶されている動画像から任意のコマ画像を選択し、複数のコマ画像を抽出し、プリントするプリンタが記載されている。
【０００４】
しかしながら、従来のプリンタは、プリンタ内に記憶された動画像をプリントすることはできるが、ＰＣに記憶されている動画像をプリンタにプリントさせるためには、ＰＣからＭＦＰに動画像を送信しなければならず、さらに、ＭＦＰを操作して記憶された動画像をプリントしなければならない。特に、近年は、インターネットで送受信されるウェブページなどは静止画像に加えて、動画像または音声を含むものが多くあり、これらの動画像または音声をＭＦＰに出力させるためには、一度、動画像、音声を静止画像とは別にＰＣに記憶するなどしなければならず、煩雑な作業が必要になるといった問題があった。
【特許文献１】特開２００８−９２３３５号公報
【発明の開示】
【発明が解決しようとする課題】
【０００５】
この発明は上述した問題点を解決するためになされたもので、この発明の目的の１つは、処理実行装置に複数のデータ種別のデータに対して処理を実行させるための設定をすることが可能な制御装置、その制御装置で実行される制御方法、およびその制御方法をコンピュータに実行させるための制御プログラムを提供することである。
【課題を解決するための手段】
【０００６】
上述した目的を達成するために、この発明のある局面によれば、制御装置は、データを処理する処理実行装置を制御する制御装置であって、データを受け付けるデータ受付手段と、受け付けられたデータのデータ種別を判別するデータ種別判別手段と、データ種別判別手段により判別されたデータ種別に対応し、処理実行装置が処理可能な処理方法に対応する設定を受け付けるための領域を含む設定画面を表示する設定画面表示手段と、設定画面に従ってユーザにより入力される設定に従って処理実行装置に処理を実行させるコマンドおよび受け付けられたデータを処理実行装置に送信する送信手段と、を備える。
【０００７】
この局面に従えば、データのデータ種別が判別され、データ種別に対応し、処理実行装置が処理可能な処理方法に対応する設定を受け付けるための領域を含む設定画面が表示され、設定画面に従ってユーザにより入力される設定に従って処理実行装置に処理を実行させるコマンドおよびデータが処理実行装置に送信される。このため、処理実行装置が、データに対して実行可能な処理がデータのデータ種別によって異なる場合であっても、処理実行装置が処理を実行可能な設定をすることができる。その結果、処理実行装置に複数のデータ種別のデータに対して処理を実行させるための設定をすることが可能な制御装置を提供することができる。
【０００８】
好ましくは、設定画面表示手段は、データがデータ種別の異なる複数の部分データを含む場合、複数の部分データそれぞれに対応する設定画面を表示する。
【０００９】
好ましくは、データは、静止画像、動画像および音声それぞれを表すデータのうちから選ばれた少なくとも１つを含む。
【００１０】
この発明の他の局面によれば、制御方法は、データを処理する処理実行装置を制御する制御装置で実行される制御方法であって、データを受け付けるステップと、受け付けられたデータのデータ種別を判別するステップと、データ種別を判別するステップにおいて判別されたデータ種別に対応し、処理実行装置が処理可能な処理方法に対応する設定を受け付けるための領域を含む設定画面を表示するステップと、設定画面に従ってユーザにより入力される設定に従って処理実行装置に処理を実行させるコマンドおよび受け付けられたデータを処理実行装置に送信するステップと、を含む。
【００１１】
この局面に従えば、処理実行装置に複数のデータ種別のデータに対して処理を実行させるための設定をすることが可能な制御方法を提供することができる。
【００１２】
この発明のさらに他の局面によれば、制御プログラムは、データを処理する処理実行装置を制御する制御装置で実行される制御プログラムであって、データを受け付けるステップと、受け付けられたデータのデータ種別を判別するステップと、データ種別を判別するステップにおいて判別されたデータ種別に対応し、処理実行装置が処理可能な処理方法に対応する設定を受け付けるための領域を含む設定画面を表示するステップと、設定画面に従ってユーザにより入力される設定に従って処理実行装置に処理を実行させるコマンドおよび受け付けられたデータを処理実行装置に送信するステップと、を制御装置を制御するコンピュータに実行させる。
【００１３】
この局面に従えば、処理実行装置に複数のデータ種別のデータに対して処理を実行させるための設定をすることが可能な制御プログラムを提供することができる。
【発明を実施するための最良の形態】
【００１４】
以下、本発明の実施の形態について図面を参照して説明する。以下の説明では同一の部品には同一の符号を付してある。それらの名称および機能も同じである。したがってそれらについての詳細な説明は繰返さない。
【００１５】
図１は、本発明の実施の形態の１つにおけるプリントシステムの全体概要を示す図である。図１を参照して、プリントシステム１は、ネットワーク２にそれぞれ接続された複合機（以下、「ＭＦＰ」という）１００，１００Ａ，１００Ｂ，１００Ｃと、パーソナルコンピュータ（以下「ＰＣ」という）２００とを含む。
【００１６】
ＭＦＰ１００，１００Ａ，１００Ｂ，１００Ｃは、ＰＣ２００から受信されるデータを処理する処理実行装置であり、その構成および機能は同じなので、ここでは特に言及しない限りＭＦＰ１００を例に説明する。
【００１７】
ネットワーク２は、ローカルエリアネットワーク（ＬＡＮ）であり、有線または無線を問わない。またネットワーク２は、ＬＡＮに限らず、ワイドエリアネットワーク（ＷＡＮ）、インターネット、または一般公衆回線を用いたネットワーク等であってもよい。
【００１８】
ＰＣ２００は、一般的なコンピュータであり、ＭＦＰ１００，１００Ａ，１００Ｂ，１００Ｃを制御する制御装置である。またＰＣ２００は、ＭＦＰ１００，１００Ａ，１００Ｂ，１００Ｃそれぞれを制御するための制御プログラムとしてのプリンタドライバプログラムがインストールされている。なお、ＭＦＰ１００，１００Ａ，１００Ｂ，１００Ｃの種類が異なる場合、ＰＣ２００には、ＭＦＰ１００，１００Ａ，１００Ｂ，１００Ｃをそれぞれ制御するための４種類のプリンタドライバプログラムがインストールされる。プリンタドライバプログラムがＰＣ２００で実行されると、ＰＣ２００は、プリンタドライバプログラムとは別のアプリケーションプログラムを実行して生成したデータまたは、アプリケーションプログラムが実行されることにより外部から受信されたデータをＭＦＰ１００，１００Ａ，１００Ｂ，１００Ｃのいずれかに処理させることが可能となる。ここでのデータは、静止画像に限られず、動画像、音声など、静止画像、動画像および音声のうちから選択された少なくとも１つを含むマルチメディアコンテンツを含む。本実施の形態においては、ＰＣ２００からＭＦＰ１００にデータを送信し、処理させる場合を例に説明する。
【００１９】
ＰＣ２００により実行されるアプリケーションプログラムによって、印刷コマンドが実行される場合、静止画像のデータがプリンタドライバに出力される。また、ＰＣ２００により実行されるアプリケーションプログラムが、データの出力先としてＭＦＰ１００を指定可能な場合、動画像、音声またはそれらの少なくとも１つを含むデータが、プリンタドライバプログラムに出力される。また、アプリケーションプログラムからプリンタドライバプログラムにデータを入力するのではなく、動画像、音声またはそれらの少なくとも１つを含むデータを、例えば、ドラッグ・アンド・ドロップ操作で、プリンタドライバプログラムに直接入力するようにしてもよい。
【００２０】
なお、図１においては１台のＰＣ２００を示しているが、台数を限定するものではなく、１台以上がネットワーク２に接続されてもよい。
【００２１】
図２は、本実施の形態におけるＰＣ２００のハードウェア構成の一例を示すブロック図である。図２を参照して、ＰＣ２００は、それぞれがバス２２０に接続された中央演算装置（ＣＰＵ）２０１と、ＣＰＵ２０１が実行するためのプログラムなどを記録したＲＯＭ（Ｒｅａｄ  Ｏｎｌｙ  Ｍｅｍｏｒｙ）２０３と、実行されるプログラムをロードするための、およびプログラム実行中のデータを記憶するためのＲＡＭ（Ｒａｎｄｏｍ  Ａｃｃｅｓｓ  Ｍｅｍｏｒｙ）２０５と、データを不揮発的に記憶するためのハードディスクドライブ（ＨＤＤ）２０７と、メモリカード２０８が装着されるカードインターフェース（Ｉ／Ｆ）２０９と、ＣＰＵ２００をネットワーク２に接続するための通信Ｉ／Ｆ２１１と、ユーザとのインターフェースとして機能する操作部２１３とを含む。
【００２２】
ＣＰＵ２０１は、カードＩ／Ｆ２０９に装着されたメモリカード２０８に記録されたプリンタドライバプログラム（制御プログラム）をＲＡＭ２０５にロードして実行する。なお、ＣＰＵ２０１が実行するプログラムは、メモリカード２０８に記録されたプリンタドライバプログラムに限られず、ＨＤＤ２０７に記憶されたプログラムをＲＡＭ２０５にロードして実行するようにしてもよい。この場合、ネットワーク２に接続された他のコンピュータが、ＰＣ２００のＨＤＤ２０７に記憶されたプリンタドライバプログラムを書換える、または、新たなプリンタドライバプログラムを追加して書き込むようにしてもよい。さらに、ＰＣ２００が、ネットワーク２に接続された他のコンピュータからプリンタドライバプログラムをダウンロードして、そのプリンタドライバプログラムをＨＤＤ２０７に記憶するようにしてもよい。ここでいうプログラムは、ＣＰＵ２０１が直接実行可能なプログラムだけでなく、ソースプログラム、圧縮処理されたプログラム、暗号化されたプログラム等を含む。
【００２３】
操作部２１３は、入力部２１３Ａと表示部２１３Ｂとを含む。入力部２１３Ａは、ＰＣ２００のユーザによる操作の入力を受付けるためのキーボードまたはマウス等の入力装置である。表示部２１３Ｂは、液晶表示装置、有機ＥＬ（Ｅｌｅｃｔｒｏ−Ｌｕｍｉｎｅｓｃｅｎｃｅ）ディスプレイパネルまたは陰極線管（ＣＲＴ）等の表示装置である。入力部２１３Ａに、タッチパネルなどのポインティングデバイスを用いるようにしてもよい。
【００２４】
通信Ｉ／Ｆ２１１は、ＰＣ２００をネットワーク２に接続するための通信インターフェースである。これにより、ＰＣ２００は、ＭＦＰ１００，１００Ａ，１００Ｂ，１００Ｃとの間で通信することが可能となる。ＰＣ２００と、ＭＦＰ１００，１００Ａ，１００Ｂ，１００Ｃそれぞれとは、ネットワーク２を介して接続されるが、シリアルインターフェースまたはパラレルインターフェースを用いて直接接続されてもよい。通信Ｉ／Ｆ２１１は、ＰＣ２００と他のＭＦＰ１００，１００Ａ，１００Ｂ，１００Ｃそれぞれとの接続形態に応じたインターフェースが用いられる。
【００２５】
図３は、ＭＦＰのハードウェア構成の一例を示すブロック図である。図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する静止画像を用紙等に形成するための画像形成部１４０と、画像形成部１４０に用紙を供給するための給紙部１５０と、ユーザインターフェースとしての操作パネル１６０と、スピーカ１７０と、を含む。メイン回路１１０は、ＣＰＵ１１１と、通信インターフェース（Ｉ／Ｆ）部１１２と、ＲＯＭ１１３と、ＲＡＭ１１４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、圧縮符号化された音声または画像を復号するためのデコーダ１１８と、メモリカード１１９Ａが装着されるカードインターフェース（Ｉ／Ｆ）１１９とを含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００２６】
ＲＯＭ１１３は、ＣＰＵ１１１が実行するプログラム、およびそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる静止画像を一時的に記憶する。
【００２７】
操作パネル１６０は、ＭＦＰ１００の上面に設けられ、表示部１６０Ａと操作部１６０Ｂとを含む。表示部１６０Ａは、液晶表示装置（ＬＣＤ）、有機ＥＬＤ（Ｅｌｅｃｔｒｏｌｕｍｉｎｅｓｃｅｎｃｅ  Ｄｉｓｐｌａｙ）等の表示装置であり、ユーザに対する指示メニューや取得した画像データに関する情報等を表示する。操作部１６０Ｂは、複数のキーを備え、キーに対応するユーザの操作による各種の指示、文字、数字などのデータの入力を受け付ける。操作部１６０Ｂは、表示部１６０Ａ上に設けられたタッチパネルをさらに含む。
【００２８】
通信Ｉ／Ｆ部１１２は、ＭＦＰ１００をネットワーク２に接続するためのインターフェースである。ＣＰＵ１１１は、通信Ｉ／Ｆ部１１２を介してＰＣ２００との間で通信し、データを送受信する。また、通信Ｉ／Ｆ部１１２は、ネットワーク２を介してインターネットに接続されたコンピュータと通信が可能である。
【００２９】
ファクシミリ部１１７は、公衆交換電話網（ＰＳＴＮ）に接続され、ＰＳＴＮにファクシミリデータを送信する、またはＰＳＴＮからファクシミリデータを受信する。ファクシミリ部１１７は、受信したファクシミリデータを、ＨＤＤ１１６に記憶する、または画像形成部１４０に出力する。画像形成部１４０は、ファクシミリ部１１７により受信されたファクシミリデータを用紙に印刷する。また、ファクシミリ部１１７は、ＨＤＤ１１６に記憶されたデータをファクシミリデータに変換して、ＰＳＴＮに接続されたファクシミリ装置に送信する。
【００３０】
カードＩ／Ｆ１１９は、メモリカード１１９Ａが装着される。ＣＰＵ１１１は、カードＩ／Ｆ１１９を介してメモリカード１１９Ａにアクセス可能である。ＣＰＵ１１１は、カードＩ／Ｆ１１９に装着されたメモリカード１１９Ａに記録されたプログラムをＲＡＭ１１４にロードして実行する。なお、ＣＰＵ１１１が実行するプログラムは、メモリカード１１９Ａに記録されたプログラムに限られず、ＨＤＤ１１６に記憶されたプログラムをＲＡＭ１１４にロードして実行するようにしてもよい。この場合、ネットワーク２に接続された他のコンピュータが、ＭＦＰ１００のＨＤＤ１１６に記憶されたプログラムを書換える、または、新たなプログラムを追加して書き込むようにしてもよい。さらに、ＭＦＰ１００が、ネットワーク２に接続された他のコンピュータからプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００３１】
デコーダ１１８は、ＣＰＵ１１１により制御され、圧縮符号化されたデータを復号する。デコーダ１１８が、復号の対象とするデータは、ＰＣ２００から受信されるデータ、またはメモリカード１１９Ａに記憶されたデータである。ＰＣ２００から受信されるデータ、またはメモリカード１１９Ａに記憶されたデータは、音声、画像またはそれらを組み合わせたマルチメディアコンテンツを含む。画像は、静止画像と動画像とを含む。ＣＰＵ１１１は、デコーダ１１８により復号された音声をスピーカ１７０に出力し、復号された画像を表示部１６０Ａに表示する。
【００３２】
図４は、ＰＣが備えるＣＰＵの機能の概要を示す機能ブロック図である。図４に示す機能は、ＰＣ２００が備えるＣＰＵ２０１が、ＲＯＭ２０３、ＨＤＤ２０７またはメモリカード１１９Ａに記憶されたプリンタドライバプログラムを実行することにより、実現される。図４を参照して、ＣＰＵ２０１は、データを受け付けるデータ受付部２５１と、データの種別を判別するデータ種別判別部２５３と、表示部２１３Ｂに設定画面を表示する設定画面表示部２５５と、ユーザによる操作を受け付ける操作受付部２５７と、ＭＦＰ１００、１００Ａ〜１００Ｃのいずれかにデータを送信する送信部２５９と、を含む。
【００３３】
データ受付部２５１は、ＣＰＵ２０１が実行するアプリケーションプログラムからデータを、オペレーティングシステムを介して受け付ける。例えば、アプリケーションプログラムは、印刷のためにデータをオペレーティングシステムに出力する機能を有し、データ受付部２６１は、アプリケーションプロプログラが出力するデータを受け付ける。データ受付部２５１は、受け付けられたデータをデータ種別判別部２５３および送信部２５９に出力する。
【００３４】
例えば、アプリケーションプログラムとして、ウェブページを閲覧するためのブラウジングプログラムがＣＰＵ１１１により実行される場合、ウェブサーバからダウンロードされたマークアップ言語で記述されたウェブページが表示部２１３Ｂに表示される。ユーザがアプリケーションプログラムに対してプリントを指示すれば、ウェブページの画像（静止画像）がプリンタドライバプログラムに出力される。また、ウェブページは、動画像、静止画像、音声のデータをリンクしている場合があり、それらのＵＲＬを含む。ブラウジングプログラムが、マークアップ言語で記述されたウェブページを、オペレーティングシステムを介してプリンタドライバプログラムに出力可能な場合には、データ受付部２５１は、マークアップ言語で記述されたウェブページを受け付ける。データ受付部２５１は、ブラウジングプログラムからマークアップ言語で記述されたデータを受け付ける場合、そのデータにおいてリンクされている別のデータをダウンロード等して取得することにより、別のデータを受け付ける。
【００３５】
また、アプリケーションプログラムとして、ＨＤＤ２０７に記憶されているデータを管理するファイル管理プログラムがＣＰＵ２０１により実行される場合、ユーザが指示したデータをファイル管理プログラムからオペレーションシステムを介して受け付ける。例えば、ユーザがＨＤＤ２０７に記憶されたデータを指示する操作を入力すると、指示されたデータがファイル管理プログラムからプリンタドライバプログラムに出力される。
【００３６】
アプリケーションプログラムは、テキスト等の文字データに加えて、動画像、静止画像、音声のデータへのリンクを含むデータ、また、動画像、静止画像、音声のデータ自体を含むデータを読み出し、編集または出力可能なものがある。このようなアプリケーションプログラムは、プリンタドライバプログラムにオペレーティングシステムを介して、データを出力可能な場合には、データ受付部２５１は、そのデータを受け付けるとともに、そのデータにリンクされた別のデータをダウンロード等することにより受け付ける。
【００３７】
データ種別判別部２５３は、データ受付部２５１より入力されるデータのデータ種別を判別する。データ種別は、データの属性をいい、ここでは、動画像、静止画像および音声を含む。データ種別判別部２５３は、データの拡張子からデータ種別を判別する。また、データが有するヘッダ部分を解析し、データ種別を判別する。データ種別判別部２５３は、データを生成または取り扱うアプリケーションプログラムを判別することによりデータ種別を判別するようにしても良い。ここでは、データ種別を、静止画像、動画像および音声とする場合を例に説明する。データ種別判別部２５３は、判別されたデータ種別を設定画面表示部２５５に出力する。
【００３８】
データ種別判別部２５３は、データ受付部２５１から入力されるデータが、異なるデータ種別からなる複数の部分データを含む場合、複数の部分データ毎にデータ種別を判断し、データ中で部分データを特定する部分データ識別情報とデータ種別との組を設定画面表示部２５５に出力する。
【００３９】
設定画面表示部２５５は、データ種別判別部２５３から入力されるデータ種別に対応し、ＭＦＰ１００が処理可能な処理方法に対応する設定画面を表示する。設定画面は、ＭＦＰ１００がデータ種別のデータに対して実行する処理方法の設定を受け付けるための領域を含む。
【００４０】
処理方法は、データ種別に対して予め定められており、その処理方法でＭＦＰ１００に処理を実行させるためのコマンドが関連付けられている。処理方法にはそれを識別するための名称が予め定められている。データ種別が静止画像のデータに対しては、ここでは、「通常印刷」、「セキュリティ印刷」、「ボックス保存」、「確認印刷」および「認証＆印刷」の名称の処理方法が予め定められている。名称が「通常印刷」の処理方法に関連付けられているコマンドとデータ種別が静止画像のデータとをＭＦＰ１００に入力すれば、ＭＦＰ１００は、入力される静止画像のデータを、プリント条件に従って印刷する処理を実行する。プリント条件は、コマンドとともにＭＦＰ１００に入力される。プリント条件は、各設定項目にデフォルト値が設定されており、ユーザが設定画面で変更することが可能である。名称が「セキュリティ印刷」の処理方法に関連付けられるコマンドとデータ種別が静止画像のデータとをＭＦＰ１００に入力すれば、ＭＦＰ１００は、入力されるデータの静止画像を、パスワードが入力されることを条件に印刷する処理を実行する。パスワードは、処理方法の選択とともにユーザにより入力され、コマンドとともにＭＦＰ１００に入力される。名称が「ボックス保存」の処理方法に関連付けられるコマンドとデータ種別が静止画像のデータとをＭＦＰ１００に入力すれば、ＭＦＰ１００は、入力されるデータを、ＨＤＤ１１６が有する記憶領域に記憶する処理を実行する。ＨＤＤ１１６にデータを記憶する領域は、予め定められていてもよく、ユーザが処理方法を選択する際にユーザにより入力されてもよい。名称が「ボックス保存＆印刷」の処理方法に関連付けられたコマンドとデータ種別が静止画像のデータとをＭＦＰ１００に入力すれば、ＭＦＰ１００は、入力されるデータを、ＨＤＤ１１６が有する記憶領域に記憶する処理と、入力される静止画像のデータをプリント条件に従って印刷する処理と、を実行する。名称が「確認印刷」の処理方法に関連付けられたコマンドとデータ種別が静止画像のデータとをＭＦＰ１００に入力すれば、ＭＦＰ１００は、入力されるデータの静止画像を、レイアウトを確認するための画像に変換し、印刷する処理を実行する。
【００４１】
データ種別が動画像のデータに対しては、ここでは「先頭画像を印刷」、「コマ送り印刷」、「動画としてボックス保存」および「パネルで再生」の名称の処理方法が予め定められている。名称が「先頭画像を印刷」の処理方法に関連付けられたコマンドとデータ種別が動画像のデータとをＭＦＰ１００に入力すれば、ＭＦＰ１００は、入力される動画像のデータの先頭のフレームの画像を印刷する処理を実行する。名称が「コマ送り印刷」の処理方法に関連付けられたコマンドとデータ種別が動画像のデータとをＭＦＰ１００に入力すれば、ＭＦＰ１００は、入力されるデータから、それが有する複数のフレームを間引いて複数のフレームを抽出し、抽出された複数のフレームの画像を印刷する処理を実行する。名称が「動画としてボックス保存」の処理方法に関連付けられたコマンドとデータ種別が動画像のデータとをＭＦＰ１００に入力すれば、ＭＦＰ１００は、入力されるデータを、ＨＤＤ１１６が有する記憶領域に記憶する処理を実行する。名称が「パネルで再生」の処理方法に関連付けられたコマンドとデータ種別が動画像のデータとをＭＦＰ１００に入力すれば、ＭＦＰ１００は、入力されるデータを、再生し、表示部１６０Ａに動画像を表示する。
【００４２】
データ種別が音声のデータに対しては、ここでは、「テキストに変換して印刷」、「音声としてボックス保存」、および「スピーカで再生」の名称の処理方法が予め定められている。名称が「テキストに変換して印刷」の処理方法に関連付けられたコマンドとデータ種別が音声のデータとをＭＦＰ１００に入力すれば、ＭＦＰ１００は、入力される音声のデータを音声認識することによってテキストのデータに変換し、変換されたテキストのデータを印刷する処理を実行する。名称が「音声としてボックス保存」の処理方法に関連付けられたコマンドとデータ種別が音声のデータとをＭＦＰ１００に入力すれば、ＭＦＰ１００は、入力されるデータを、ＨＤＤ１１６が有する記憶領域に記憶する処理を実行する。名称が「スピーカで再生」の処理方法に関連付けられたコマンドとデータ種別が音声のデータとをＭＦＰ１００に入力すれば、ＭＦＰ１００は、入力されるデータを再生し、スピーカから出力する。
【００４３】
設定画面表示部２５５は、データ種別判別部２５３から複数の部分データと、それらのデータ種別とが入力されると、複数の部分データと同じ数の設定画面を表示部１６０Ａに表示する。設定画面は、ＭＦＰ１００がデータ種別のデータに対して処理を実行するための設定を受け付けるための領域を含む。
【００４４】
なお、ＭＦＰ１００，１００Ａ，１００Ｂ，１００Ｃ間で、実行可能な処理方法が異なる場合があるが、この場合には、ＭＦＰ１００，１００Ａ，１００Ｂ，１００Ｃそれが実行可能な処理方法を、データ種別毎に予め記憶しておき、ＭＦＰ１００，１００Ａ，１００Ｂ，１００Ｃのうちでデータを処理させるものが実行可能な処理方法の設定を受け付ける。
【００４５】
操作受付部２５７は、表示部２１３Ｂに表示された設定画面を見るユーザが、設定画面に従って入力部２１３Ａに入力する操作を受け付ける。操作は、少なくとも処理方法を決定する操作を含む。操作受付部２５７は、受け付けた操作により特定される処理方法に対応するコマンドを送信部２５９に出力する。複数の異なるデータ種別に対応する複数の設定画面が表示されている場合、複数の設定画面それぞれに対応する複数の処理方法を特定するための操作が受け付けられ、複数の処理方法それぞれに対応するコマンドを出力する。この場合、コマンドは、データ種別判別部２５３により判別された複数の部分データそれぞれに対応付けて出力される。コマンドは、処理方法に対応してパラメータが設定される場合、そのパラメータとともに送信される。
【００４６】
送信部２５９は、データ受付部２５１から入力されるデータと、操作受付部２５７から入力されるコマンドとを、通信Ｉ／Ｆ２１１を介して、ＭＦＰ１００に送信する。
【００４７】
図５は、設定画面の一例を示す図である。図５を参照して、設定画面３００は、従来のプリンタドライバプログラムがプリント条件を設定するために表示する領域に加えて、処理方法を入力する領域３０１を含む。ここでは、処理対象となるデータが、データ種別が静止画像の部分データと、動画像の部分データと、音声の部分データとを含むマルチメディアコンテンツの場合に表示される設定画面を示している。領域３０１は、データ種別が静止画像の部分データに対する処理方法を設定する静止画像用設定領域３０３と、データ種別が動画像の部分データに対する処理方法を設定する動画像用設定領域３０５と、データ種別が音声の部分データに対する処理方法を設定する音声用設定領域３０７と、を含む。
【００４８】
なお、正義画像用設定領域３０３は、処理対象となるデータがデータ種別が静止画像の部分データを含む場合に表示され、データ種別が静止画像の部分データを含まない場合には設定画面３００に含まれず、表示されない。動画像用設定領域３０５は、処理対象となるデータがデータ種別が動画像の部分データを含む場合に表示され、データ種別が動画像の部分データを含まない場合には設定画面３００に含まれず、表示されない。音声用設定領域３０７は、処理対象となるデータがデータ種別が音声の部分データを含む場合に表示され、データ種別が音声の部分データを含まない場合には設定画面３００に含まれず、表示されない。
【００４９】
静止画像用設定領域３０３、動画像用設定領域３０５および音声用設定領域３０７それぞれは、右端に矢印キーを有し、矢印キーがマウスポインタ等で指示されると、方法リストが設定画面に重畳して表示される。方法リストは、データ種別に対応して予め定められた複数の処理方法の名称を選択可能に表示する画面である。方法リストにリストアップされた複数の処理方法の名称いずれか１つがユーザによりマウスポインタ等で指示されると、指示された名称が、静止画像用設定領域３０３、動画像用設定領域３０５および音声用設定領域３０７のうち対応するものに表示され、その名称の処理方法が設定される。例えば、静止画像用設定領域３０３の右端の矢印が指示されると、データ種別が静止画像に対応して予め定められた複数の処理方法の名称を選択可能に表示する方法リストが設定画面に重畳して表示され、方法リストにリストアップされた複数の処理方法の名称のうち１つが指示されると、指示された名称が静止画用像設定領域３０３に表示され、その名称の処理方法が設定される。
【００５０】
図６は、データ種別が静止画像に対応する方法リストの一例を示す図である。図６に示す静止画像に対応する方法リストは、設定画面３００において静止画像用設定領域３０３の矢印キーが指示されることにより設定画面３００に重畳して表示される。データ種別が静止画像に対応する方法リストは、データ種別が静止画像のデータに対して実行可能な処理を識別するための名称を含む。ここでは、方法リストは、「通常印刷」、「セキュリティ印刷」、「ボックス保存」、「確認印刷」および「認証＆印刷」の名称を含み、「通常印刷」の名称が選択されている状態を、ハッチングで示している。選択された名称「通常印刷」が、静止画像用設定領域３０３に表示され、名称が「通常印刷」の処理方法が設定されている。
【００５１】
図７は、データ種別が動画像に対応する方法リストの一例を示す図である。図７に示す静止画像に対応する方法リストは、設定画面３００において動画像用設定領域３０５の矢印キーが指示されることにより設定画面３００に重畳して表示される。データ種別が動画像に対応する方法リストは、データ種別が動画像のデータに対して実行可能な処理を識別するための名称を含む。ここでは、方法リストは、「先頭画像を印刷」、「コマ送り印刷」、「動画としてボックス保存」および「パネルで再生」の名称を含み、「先頭画像を印刷」の名称が選択されている状態を、ハッチングで示している。選択された名称「先頭画像を印刷」が、動画像用設定領域３０５に表示され、名称が「先頭画像を印刷」の処理方法が設定されている。
【００５２】
図８は、データ種別が音声に対応する方法リストの一例を示す図である。図７に示す静止画像に対応する方法リストは、設定画面３００において音声用設定領域３０７の矢印キーが指示されることにより設定画面３００に重畳して表示される。データ種別が音声に対応する方法リストは、データ種別が音声のデータに対して実行可能な処理を識別するための名称を含む。ここでは、方法リストは、「テキストに変換して印刷」、「音声としてボックス保存」、および「スピーカで再生」の名称を含み、「テキストに変換して印刷」の名称が選択されている状態を、ハッチングで示している。選択された名称「テキストに変換して印刷」が、音声用設定領域３０７に表示され、名称が「テキストに変換して印刷」の処理方法が設定されている。
【００５３】
図９は、出力制御処理の流れの一例を示すフローチャートである。出力制御処理は、ＰＣ２００が備えるＣＰＵ２０１が、制御プログラムを実行することにより、ＣＰＵ２０１により実行される処理である。図９を参照して、ＣＰＵ２０１は、データを受け付けたか否かを判断する（ステップＳ０１）。ＣＰＵ２０１が実行するアプリケーションプログラムからオペレーティングシステムを介してデータを受け付けたか否かを判断する。データを受け付けるまで待機状態となり、データを受け付けると処理をステップＳ０２に進める。すなわち、出力制御処理は、アプリケーションプログラムからデータを受け付けることにより実行される。ここで、受け付けるデータは、アプリケーションプログラムから受け付けられるデータに加えて、そのデータにリンクされているデータを含む。換言すれば、アプリケーションプログラムから受け付けられたデータに含まれるリンク情報で特定されるデータを含む。アプリケーションプログラムから受け付けられるデータがリンク情報を含んでいる場合には、そのリンク情報で特定されるデータを、通信Ｉ／Ｆ２１１に受信させ、受信されたデータを受け付ける。
【００５４】
ここでは、アプリケーションプログラムから受け付けられるデータがリンク情報を含んでいる場合において、そのリンク情報で特定されるデータを部分データという。また、アプリケーションプログラムから受け付けられるデータが複数のデータ種別の部分データで構成される場合がある。例えば、テキストデータに、静止画像、動画像または音声が埋め込まれたデータである場合がある。この場合には、データ中で異なるデータ種別のデータを、それぞれ部分データをいう。
【００５５】
ステップＳ０２においては、受け付けられたデータのデータ種別を判別する。本実施の形態においては、データ種別として、静止画像、動画像および音声を定めているので、受け付けられたデータがそれらのうちいずれであるかを判別する。ステップＳ０１において、アプリケーションプログラムから受け付けられるデータが複数のデータ種別のデータで構成される場合また、アプリケーションプログラムから受け付けられるデータがリンク情報を含む場合、アプリケーションプログラムから受け付けられるデータのデータ種別に加えて、リンク情報で特定されるデータ（部分データ）のデータ種別を判断する。
【００５６】
ステップＳ０３においては、ステップＳ０１において受け付けられたデータが静止画像データか否かを判断する。ステップＳ０２において判別されたデータ種別が静止画像を少なくとも含むか否かを判断する。ステップＳ０１において受け付けられたデータが、部分データを含む場合、ステップＳ０２において部分データ毎にデータ種別が判別されるので、部分データの少なくとも１つに静止画像のデータ種別の部分データが含まれていれば、受け付けられたデータが静止画像データと判断する。受け付けられたデータが静止画像データならば処理をステップＳ０４に進めるが、そうでなければステップＳ０４をスキップして処理をステップＳ０５に進める。
【００５７】
ステップＳ０４においては、設定画面に静止画像用設定領域を追加し、処理をステップＳ０５に進める。例えば、図５に示した設定画面３００において、領域３０１に静止画像に対応する処理方法を設定するための静止画像用設定領域３０３を追加する。
【００５８】
ステップＳ０５においては、ステップＳ０１において受け付けられたデータが動画像データか否かを判断する。ステップＳ０２において判別されたデータ種別が動画像を少なくとも含むか否かを判断する。ステップＳ０１において受け付けられたデータが、部分データを含む場合、ステップＳ０２において部分データ毎にデータ種別が判別されるので、部分データの少なくとも１つに動画像のデータ種別の部分データが含まれていれば、受け付けられたデータが動画像データと判断する。受け付けられたデータが動画像データならば処理をステップＳ０６に進めるが、そうでなければステップＳ０６をスキップして処理をステップＳ０７に進める。
【００５９】
ステップＳ０６においては、設定画面に動画像用設定領域を追加し、処理をステップＳ０７に進める。例えば、図５に示した設定画面３００において、領域３０１に動画像に対応する処理方法を設定するための動画像用設定領域３０５を追加する。
【００６０】
ステップＳ０７においては、ステップＳ０１において受け付けられたデータが音声データか否かを判断する。ステップＳ０２において判別されたデータ種別が音声を少なくとも含むか否かを判断する。ステップＳ０１において受け付けられたデータが、部分データを含む場合、ステップＳ０２において部分データ毎にデータ種別が判別されるので、部分データの少なくとも１つに音声のデータ種別の部分データが含まれていれば、受け付けられたデータが音声データと判断する。受け付けられたデータが音声データならば処理をステップＳ０８に進めるが、そうでなければステップＳ０８をスキップして処理をステップＳ０９に進める。
【００６１】
ステップＳ０８においては、設定画面に音声用設定領域を追加し、処理をステップＳ０９に進める。例えば、図５に示した設定画面３００において、領域３０１に音声に対応する処理方法を設定するための音声用設定領域３０７を追加する。
【００６２】
ステップＳ０９においては、設定画面を表示部２１３Ｂに表示する。設定画面は、ステップＳ０１において受け付けられたデータに含まれる部分データのデータ種別によって、異なる。具体的には、図５に示した設定画面の領域３０１が異なる。ステップＳ０１において受け付けられたデータが、静止画像データを含むならば領域３０１は、データ種別が静止画像の部分データに対応する処理方法を設定するための静止画像用設定領域３０３を含み、動画像データを含むならば領域３０１は、データ種別が動画像の部分データに対応する処理方法を設定するための動画像用設定領域３０５を含み、音声データを含むならば領域３０１は、データ種別が音声の部分データに対応する処理方法を設定するための静止画像用設定領域３０３を含む。ステップＳ０１において受け付けられたデータが、静止画データ、動画像データおよび音声データを含む場合、図５に示した設定画面３００が表示される。
【００６３】
ステップＳ１０においては、設定を受け付けたか否かを判断する。設定を受け付けたならば処理をステップＳ１１に進めるが、そうでなければステップＳ１１をスキップして処理をステップＳ１２に進める。ユーザが、ステップＳ０９において表示された設定画面３００に従って、入力部２１３Ａに入力する設定を受け付ける。例えば、設定画面３００の領域３０１に静止画像用設定領域３０３、動画像用設定領域３０５および音声用設定領域３０７が含まれる場合、それぞれに処理方法が入力されると、入力された処理方法を受け付ける。ステップＳ１１においては、受け付けられた設定をＲＡＭ１１４に一時的に記憶する。
【００６４】
ステップＳ１２においては、出力指示を受け付けたか否かを判断する。例えば、図５に示した設定画面３００において「ＯＫ」の文字が表されたキーが指示されると、出力指示を受け付ける。出力指示を受け付けたならば処理をステップＳ１３に進めるが、そうでなければ処理をステップＳ１０に戻す。すなわち、出力指示を受け付けるまでに、受け付けられた設定がＲＡＭ１１４に記憶される。
【００６５】
ステップＳ１３においては、ステップＳ０３と同様にステップＳ０１において受け付けられたデータが静止画像データか否かを判断する。受け付けられたデータが静止画像データならば処理をステップＳ１４に進めるが、そうでなければ処理をステップＳ１６に進める。ステップＳ１４においては、静止画像用設定領域３０３において設定された設定値、ここでは処理方法の名称に対応するコマンドを生成する。そして、ステップＳ０１において受け付けられたデータのうちデータ種別が静止画像の静止画像データと、ステップＳ１４において生成されたコマンドとを、通信Ｉ／Ｆ２１１を介してＭＦＰ１００に送信する（ステップＳ１５）。これにより、ＭＦＰ１００において静止画像データにコマンドに対応する処理方法で処理が実行される。
【００６６】
ステップＳ１６においては、ステップＳ０５と同様にステップＳ０１において受け付けられたデータが動画像データか否かを判断する。受け付けられたデータが動画像データならば処理をステップＳ１７に進めるが、そうでなければ処理をステップＳ１９に進める。ステップＳ１７においては、動画像用設定領域３０５において設定された設定値、ここでは処理方法の名称に対応するコマンドを生成する。そして、ステップＳ０１において受け付けられたデータのうちデータ種別が動画像の動画像データと、ステップＳ１７において生成されたコマンドとを、通信Ｉ／Ｆ２１１を介してＭＦＰ１００に送信する（ステップＳ１８）。これにより、ＭＦＰ１００において動画像データにコマンドに対応する処理方法で処理が実行される。
【００６７】
ステップＳ１９においては、ステップＳ０７と同様にステップＳ０１において受け付けられたデータが音声データか否かを判断する。受け付けられたデータが音声データならば処理をステップＳ２０に進めるが、そうでなければ処理を終了する。ステップＳ２０においては、音声用設定領域３０７において設定された設定値、ここでは処理方法の名称に対応するコマンドを生成する。そして、ステップＳ０１において受け付けられたデータのうちデータ種別が音声の音声データと、ステップＳ２０において生成されたコマンドとを、通信Ｉ／Ｆ２１１を介してＭＦＰ１００に送信する（ステップＳ２１）。これにより、ＭＦＰ１００において音声データにコマンドに対応する処理方法で処理が実行される。
【００６８】
図１０は、コマンド実行処理の流れの一例を示すフローチャートである。コマンド実行処理は、ＭＦＰ１００が備えるＣＰＵ１１１がコマンド実行プログラムを実行することによりＣＰＵ１１１により実行される処理である。図１０を参照して、ＣＰＵ１１１は、通信Ｉ／Ｆ部１１２が、ＰＣ２００からコマンドを受信したか否かを判断する。コマンドを受信するまで待機状態となり（ステップＳ５１でＮＯ）、コマンドを受信すると（ステップＳ５１でＹＥＳ）、処理をステップＳ５２に進める。
【００６９】
次のステップＳ５２においては、通信Ｉ／Ｆ部１１２が、ＰＣ２００からデータを受信したか否かを判断する。データを受信するまで待機状態となり（ステップＳ５２でＮＯ）、データを受信すると（ステップＳ５２でＹＥＳ）、処理をステップＳ５３に進める。
【００７０】
ステップＳ５３においては、ステップＳ５１において受信されたコマンドに従ってステップＳ５２において受信されたデータを処理し、処理を終了する。
【００７１】
以上説明したように本実施の形態におけるＰＣ２００は、データを処理する処理実行装置として機能するＭＦＰ１００，１００Ａ，１００Ｂ，１００Ｃそれぞれを制御するための制御装置として機能する。ＰＣ２００は、データを受け付けるデータ受付部２５１を備える。データ受付部２５１は、ブラウジングプログラム等のアプリケーションプログラムが、インターネットに接続されたコンピュータからダウンロードするＷｅｂページ、そのＷｅｂページにリンクされた動画像、静止画像または音声等のデータを受け付ける。Ｗｅｂページは、マルチメディアコンテンツである。また、ＰＣ２００は、データのデータ種別を判別し、判別されたデータ種別に対応し、ＭＦＰ１００，１００Ａ，１００Ｂ，１００Ｃのうちデータを処理させるものが処理可能な処理方法に対応する設定を受け付けるための領域を含む設定画面３００を表示する。そして、設定画面に従ってユーザにより入力される設定に従ってＭＦＰ１００，１００Ａ，１００Ｂ，１００Ｃのうちデータを処理させるものに処理を実行させるコマンドおよびデータを送信する。このため、ＭＦＰ１００，１００Ａ，１００Ｂ，１００Ｃのうちデータを処理させるものが、データに対して実行可能な処理がデータのデータ種別によって異なる場合であっても、ＭＦＰ１００，１００Ａ，１００Ｂ，１００Ｃのうちデータを処理させるものが処理を実行可能となる設定をすることができる。
【００７２】
また、設定画面３００は、処理方法を設定する領域３０１を有し、その領域３０１は、データが静止画像、動画像および音声のデータ種別の複数の部分データを含む場合、複数の部分データそれぞれに対応する静止画像用設定３０３、動画像用設定領域３０５および音声用設定領域３０７を含む。このため、データ種別毎に処理方法を設定することができる。
【００７３】
さらに、ＭＦＰ１００，１００Ａ，１００Ｂ，１００Ｃのうちデータを処理させるものに送信するデータは、静止画像、動画像および音声それぞれを表すデータのうちから選ばれた少なくとも１つを含むマルチメディアコンテンツである。このため、データがマルチメディアコンテンツであってもＭＦＰ１００，１００Ａ，１００Ｂ，１００Ｃのうちデータを処理させるものが処理可能な設定をすることができる。
【００７４】
なお、上述した実施の形態においては、ＭＦＰ１００，１００Ａ，１００Ｂ，１００Ｃを制御する制御装置の一例として、ＰＣ２００について説明したが、図９に示した処理を実行するための制御方法または、その制御方法をコンピュータに実行させるための制御プログラムとして発明を捉えることができるのは言うまでもない。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７６】
【図１】本発明の第１の実施の形態におけるプリントシステムの全体概要を示す図である。
【図２】本実施の形態におけるＰＣのハードウェア構成の一例を示すブロック図である。
【図３】ＭＦＰのハードウェア構成の一例を示すブロック図である。
【図４】ＰＣが備えるＣＰＵの機能の概要を示す機能ブロック図である。
【図５】設定画面の一例を示す図である。
【図６】データ種別が静止画像に対応する方法リストの一例を示す図である。
【図７】データ種別が動画像に対応する方法リストの一例を示す図である。
【図８】データ種別が音声に対応する方法リストの一例を示す図である。
【図９】出力制御処理の流れの一例を示すフローチャートである。
【図１０】コマンド実行処理の流れの一例を示すフローチャートである。
【符号の説明】
【００７７】
１  プリントシステム、２  ネットワーク、１００，１００Ａ，１００Ｂ，１００Ｃ  ＭＦＰ、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１８  デコーダ、１１９  カードＩ／Ｆ、１１９Ａ  メモリカード、１２０  自動原稿搬送装置、１３０  原稿読取部、１４０  画像形成部、１５０  給紙部、１６０  操作パネル、１６０Ａ  表示部、１６０Ｂ  操作部、１７０  スピーカ、２００  ＰＣ、２０１  ＣＰＵ、２０３  ＲＯＭ、２０５  ＲＡＭ、２０７  ＨＤＤ、２０８  メモリカード、２０９  カードＩ／Ｆ、２１１  通信Ｉ／Ｆ、２１３  操作部、２１３Ａ  入力部、２１３Ｂ  表示部、２５１  データ受付部、２５３  データ種別判別部、２５５  設定画面表示部、２５７  操作受付部、２５９  送信部、２６１  データ受付部、３００  設定画面、３０１  領域、３０３  静止画像用設定領域、３０５  動画像用設定領域、３０７  音声用設定領域。
【図１】
2010268278.tif 000003
【図２】
2010268278.tif 000004
【図３】
2010268278.tif 000005
【図４】
2010268278.tif 000006
【図５】
2010268278.tif 000007
【図６】
2010268278.tif 000008
【図７】
2010268278.tif 000009
【図８】
2010268278.tif 000010
【図９】
2010268278.tif 000011
【図１０】
2010268278.tif 000012